【手続補正書】
【提出日】平成17年8月31日(2005.8.31)
【手続補正１】
【補正対象書類名】明細書
【補正対象項目名】００１０
【補正方法】変更
【補正の内容】
【００１０】
本発明は、前記目的を達成するために、請求項１に記載の発明では、所定の商品と交換可能な交換価値として使用できるポイントの蓄積、及び使用を、ポイントの付与対象であるユーザに設定されたポイントＩＤ情報ごとに管理するポイント管理装置と、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能に対応して設定された電子マネー機能ＩＤ情報により特定可能な携帯端末と、に対して通信機能を備え（即ち、ポイント管理装置と携帯端末に対して通信機能を備え）、前記ポイントＩＤ情報と前記電子マネー機能ＩＤ情報の対応を記憶し、前記記憶したポイントＩＤ情報で管理されるポイントと、電子マネー機能ＩＤ情報で特定される携帯端末に記憶されている電子マネーの変換を行う情報処理システムで使用する情報処理装置であって、前記電子マネー処理機能を形成する前の携帯端末に前記電子マネー処理機能を形成するための所定のプログラムを送信するプログラム送信手段と、前記送信した所定のプログラムを前記携帯端末で実行して形成された電子マネー処理機能に対応して設定された電子マネー機能ＩＤ情報を取得する電子マネー機能ＩＤ情報取得手段と、前記携帯端末のユーザに設定されたポイントＩＤ情報を取得するポイントＩＤ情報取得手段と、前記取得した電子マネー機能ＩＤ情報と前記取得したポイントＩＤ情報を対応付ける対応付け手段と、前記ポイント管理装置から、ポイントのポイント数とポイントＩＤ情報を受信するポイント情報受信手段と、前記受信したポイント数を所定の変換比率により電子マネーに変換し、前記変換した電子マネーを加算するコマンドを生成するコマンド生成手段と、前記生成したコマンドを、前記受信したポイントＩＤ情報に前記対応付け手段で対応付けられた電子マネー機能ＩＤ情報で特定される携帯端末に送信するコマンド送信手段と、を具備したことを特徴とする情報処理装置を提供する。
請求項２に記載の発明では、前記対応付け手段は、単一のポイントＩＤ情報に対し、複数の電子マネー機能ＩＤ情報を対応付けることができ、前記単一のポイントＩＤ情報で管理されるポイントを変換した電子マネーを加算する携帯端末を、前記単一のポイントＩＤ情報に対応付けた複数の電子マネー機能ＩＤ情報で特定される携帯端末から選択できることを特徴とする請求項１に記載の情報処理装置を提供する。
請求項３に記載の発明では、電子マネーの利用に応じてポイントを発行するポイント発行手段を備え、前記ポイント管理装置は、前記複数の電子マネー機能ＩＤ情報で特定される携帯端末での電子マネーの利用により発行されたポイントを前記単一のポイントＩＤ情報で管理し、前記複数の電子マネー機能ＩＤ情報で特定される携帯端末での電子マネーの利用により、前記ポイント発行手段で発行されたポイントを、当該携帯端末の電子マネー機能ＩＤ情報に対応付けられたポイントＩＤ情報と共に前記ポイント管理装置に提供することを特徴とする請求項２に記載の情報処理装置を提供する。
請求項４に記載の発明では、請求項１に記載の情報処理装置にポイントＩＤ情報と電子マネー機能ＩＤ情報を提供する情報提供装置であって、ポイントＩＤ情報を取得するポイントＩＤ情報取得手段と、電子マネー処理機能を備えた携帯端末に、当該電子マネー処理機能に対応して設定された電子マネー機能ＩＤ情報を読み取って所定の送信先に送信する読み取りプログラムを送信する読み取りプログラム送信手段と、前記送信した読み取りプログラムを前記携帯端末で実行することにより、前記携帯端末が送信した電子マネー機能ＩＤ情報を受信する電子マネー機能ＩＤ情報受信手段と、前記取得したポイントＩＤ情報を前記情報処理装置のポイントＩＤ情報取得手段に提供し、前記受信した電子マネー機能ＩＤ情報を前記情報処理装置の電子マネー機能ＩＤ情報取得手段に提供することを特徴とする情報提供装置を提供する。
請求項５に記載の発明では、所定の商品と交換可能な交換価値として使用できるポイントの蓄積、及び使用を、ポイントの付与対象であるユーザに設定されたポイントＩＤ情報ごとに管理するポイント管理装置と、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能に対応して設定された電子マネー機能ＩＤ情報により特定可能な携帯端末と、に対して通信機能を備え、前記ポイントＩＤ情報と前記電子マネー機能ＩＤ情報の対応を記憶し、前記記憶したポイントＩＤ情報で管理されるポイントと、電子マネー機能ＩＤ情報で特定される携帯端末に記憶されている電子マネーの変換を行う情報処理システムで使用するコンピュータで行う処理であって、前記コンピュータは、プログラム送信手段と、電子マネー機能ＩＤ情報取得手段と、ポイントＩＤ情報取得手段と、対応付け手段と、ポイント情報受信手段と、コマンド生成手段と、コマンド送信手段と、を備え、前記プログラム送信手段によって、前記電子マネー処理機能を形成する前の携帯端末に前記電子マネー処理機能を形成するための所定のプログラムを送信するプログラム送信ステップと、前記電子マネー機能ＩＤ情報取得手段によって、前記送信した所定のプログラムを前記携帯端末で実行して形成された電子マネー処理機能に対応して設定された電子マネー機能ＩＤ情報を取得する電子マネー機能ＩＤ情報取得ステップと、前記ポイントＩＤ情報取得手段によって、前記携帯端末のユーザに設定されたポイントＩＤ情報を取得するポイントＩＤ情報取得ステップと、前記対応付け手段によって、前記取得した電子マネー機能ＩＤ情報と前記取得したポイントＩＤ情報を対応付ける対応付けステップと、前記ポイント情報受信手段によって、前記ポイント管理装置から、ポイントのポイント数とポイントＩＤ情報を受信するポイント情報受信ステップと、前記コマンド生成手段によって、前記受信したポイント数を所定の変換比率により電子マネーに変換し、前記変換した電子マネーを加算するコマンドを生成するコマンド生成ステップと、前記コマンド送信手段によって、前記生成したコマンドを、前記受信したポイントＩＤ情報に前記対応付け手段で対応付けられた電子マネー機能ＩＤ情報で特定される携帯端末に送信するコマンド送信ステップと、から構成されたことを特徴とする情報処理方法を提供する。
請求項６に記載の発明では、請求項１に記載の情報処理装置にポイントＩＤ情報と電子マネー機能ＩＤ情報を提供するコンピュータで構成された情報提供装置で行う処理であって、前記コンピュータは、ポイントＩＤ情報取得手段と、読み取りプログラム送信手段と、電子マネー機能ＩＤ情報受信手段と、提供手段と、を備え、前記ポイントＩＤ情報取得手段によって、ポイントＩＤ情報を取得するポイントＩＤ情報取得ステップと、前記読み取りプログラム送信手段によって、電子マネー処理機能を備えた携帯端末に、当該電子マネー処理機能に対応して設定された電子マネー機能ＩＤ情報を読み取って所定の送信先に送信する読み取りプログラムを送信する読み取りプログラム送信ステップと、前記電子マネー機能ＩＤ情報受信手段によって、前記送信した読み取りプログラムを前記携帯端末で実行することにより、前記携帯端末が送信した電子マネー機能ＩＤ情報を受信する電子マネー機能ＩＤ情報受信ステップと、前記提供手段によって、前記取得したポイントＩＤ情報を前記情報処理装置のポイントＩＤ情報取得手段に提供し、前記受信した電子マネー機能ＩＤ情報を前記情報処理装置の電子マネー機能ＩＤ情報取得手段に提供する提供ステップと、から構成されたことを特徴とする情報提供方法を提供する。
【手続補正２】
【補正対象書類名】明細書
【補正対象項目名】００８４
【補正方法】変更
【補正の内容】
【００８４】
携帯電話７は、電子マネー会員番号読み取りプログラムを受信し、これを実行する（ステップ３６）。
これにより携帯電話７のＣＰＵは、非接触ＩＣチップのＣＰＵと通信し、電子マネー機能部１６の電子マネー会員番号（携帯）を読み出し、これをポイントサーバ１０に送信する（ステップ３９）。
【手続補正３】
【補正対象書類名】明細書
【補正対象項目名】００９７
【補正方法】変更
【補正の内容】
【００９７】
電子マネーサーバ２は、ポイントサーバ１０から当該ユーザのポイント会員番号とバリューに変換するポイント数、及び受取先を携帯電話７とＩＣカード９の何れにするかという情報を受信する。
このように、電子マネーサーバ２は、ポイント情報（ポイント数とポイント会員番号）を受信するポイント情報受信手段を備えている。
そして、電子マネーサーバ２（バリュー・ポイント計算部２３）は、受取先が携帯電話７である場合には、ポイント会員番号にひも付けられた電子マネー会員番号（携帯）をユーザ情報データベース２７で検索し、受取先が電子マネー端末８である場合には、ポイント会員番号にひも付けられた電子マネー会員番号（カード）をユーザ情報データベース２７で検索する。
【手続補正４】
【補正対象書類名】明細書
【補正対象項目名】０１０６
【補正方法】変更
【補正の内容】
【０１０６】
ユーザ端末でポイントサイトにアクセスし、携帯電話７でバリューを受け取る場合、又はその逆の場合は、バリュー受け取り時に接続先を受取先に切り替えることになる。
即ち、ユーザ端末でバリューの受け取りを申請し、携帯電話７で受け取る場合は、申請後に携帯電話７でポイントサイトにアクセスし、バリューの受け取りなどする。
【手続補正５】
【補正対象書類名】明細書
【補正対象項目名】０１２３
【補正方法】変更
【補正の内容】
【０１２３】
入力部１２６には、例えば、キーボードやマウスなどの入力装置が配設されており、電子マネーサーバ２の管理者は文字情報や各種コマンド、その他の情報を電子マネーサーバ２に入力することができる。
出力部１２７は、例えば、ＣＲＴ（Ｃａｔｈｏｄｅ−ｒａｙ  Ｔｕｂｅ）、ＬＣＤ（Ｌｉｑｕｉｄ  Ｃｒｙｓｔａｌ  Ｄｉｓｐｌａｙ）、プラズマディスプレイなどよりなる画像表示装置やプリンタなどの印刷装置が配設されており、電子マネーサーバ２の管理者は、文字情報やその他の情報を出力することができる。
これら入力部１２６や出力部１２７を用いて、電子マネーサーバ２の管理者は、電子マネーサーバ２のメンテナンスや、プログラムのバージョンアップなどを行うことができる。